(57)【要約】【課題】点消火ボタンの周囲にリング状の火力調節ダイヤルを設けたガス制御装置を、ガスバーナの点火操作の際、閉弁位置と開弁位置との間で点消火ボタンの押込み操作に連動して火力調節ダイヤルが強火力側に強制的に回転させるようにした場合、点消火ボタンの前後方向の移動距離を長くする必要が生じる。【解決手段】点消火ボタン５は、点火操作時の押込み操作により突出した閉弁位置から開弁位置を経て点火位置に移動するように構成する。点消火ボタンの押し操作に連動して、ガスバーナへの燃焼ガス供給量が所定量になるように火力調節ダイヤル５を強制的に回転させる強制回転手段５１ｂ、７２ｃを設け、該強制回転手段による火力調節ダイヤルの強制的な回転を、点消火ボタンが開弁位置から点火位置に到達するまでに行う。【選択図】  図８
2004308977.tif 000002
【特許請求の範囲】
【請求項１】
前後方向に移動自在な点消火ボタンを備え、この前後方向の位置に、ガスバーナに通じるガス通路を開放保持する開弁位置、ガス通路を閉鎖する閉弁位置及びガスバーナの点火手段を作動させる点火位置を設け、点消火ボタンの周囲に、ガスバーナへの燃料ガス供給量を調節して火力の調節を可能とする回転自在なリング状の火力調節ダイヤルを設けたガス制御装置において、
前記点消火ボタンは、点火操作時の押込み操作により、突出した閉弁位置から開弁位置を経て点火位置に移動するように構成し、
前記点消火ボタンの点火操作時の押込み操作に連動して、ガスバーナへの燃焼ガス供給量が所定量になるように前記火力調節ダイヤルを強制的に回転させる強制回転手段を設け、この強制回転手段による火力調節ダイヤルの強制的な回転を、点消火ボタンが開弁位置から点火位置に到達するまでに行うようにしたことを特徴とするガス制御装置。
【請求項２】
前記強制回転手段を、点消火ボタンの押込み操作で火力調節ダイヤルの内部を前後方向に移動する押圧ロッドに設けた突起片と、この火力調節ダイヤルの内周面に設けたカム溝とから構成し、開弁位置から点火位置への点消火ボタンの移動に伴って突起片がカム溝と係合し、点消火ボタンの押込みを解除して点火位置から開弁位置に戻ると突起片がカム溝と係合しないようにしたことを特徴とする請求項１記載のガス制御装置。
【請求項３】
前記カム溝を形成した火力調節ダイヤルの内側に、開弁位置で火力調節ダイヤルを回転させたときに前記突起片が当接してこの火力調節ダイヤルの回転範囲を制限する凸部を設けたことを特徴とする請求項２記載のガス制御装置。
【請求項４】
前記閉弁位置で、火力調節ダイヤルを前記回転範囲を越えて所定位置まで回転させた場合、前記凸部の前方側の面が前記突起片と対向するようにし、点消火ボタンの押込み操作を阻止するロック位置を設けたことを特徴とする請求項３記載のガス制御装置。
【発明の詳細な説明】
【０００１】
【発明の属する技術分野】
本発明は、例えばガスコンロに設けたガスバーナへの燃料ガスの供給を制御するガス制御装置に関する。
【０００２】
【従来の技術】
この種のガス制御装置では、ガスバーナを点火する際、ガスバーナの火力を所定火力にするため、ガスバーナの点火、消火を行う点消火ボタンと、ガスバーナへの燃料ガス供給量を調節する火力調節ダイヤルとをそれぞれ設け、点消火ボタンの前後方向の移動で火力調節ダイヤルが所定位置まで回転されるようにしたものが知られている（特許文献１）
【０００３】
この場合、点消火ボタンは、円筒形状に形成され、例えばガスコンロ前面の操作パネルに前後方向に移動自在に設けられる。そして、ガス通路を閉鎖する閉弁位置から点消火ボタンを押込み操作すると、点消火ボタンが点火位置に移動し、ガス通路を開放すると共にガスバーナの点火手段が作動される。ガスバーナが着火したことを確認して点消火ボタンの押込みを開放すると、点消火ボタンは、操作パネルから突出して開弁位置に移動する。
【０００４】
開弁位置では、ガスバーナの火力調節が点消火ボタンの周囲に設けたリング状の火力調節ダイヤルによって行われる。火力調節ダイヤルは、ガス通路に設けられガス通路の開口面積を変化させてガスバーナへの燃料ガスのガス流量を調節するガス流量調節手段と連動している。ガスバーナの燃焼を停止する場合、開弁位置に在る点消火ボタンを押込み操作して閉弁位置まで移動させると、ガス通路が閉鎖されてガスバーナが消火される。この場合、点消火ボタンの押込み操作に連動して火力調節ダイヤルを強火位置まで強制的に回転させるリセット手段が設けられている。このものでは、このリセット手段によって点消火ボタンの閉弁位置では火力調節ダイヤルを回転させることができない。
【０００５】
【特許文献１】
特許２７４２３５６号公報（例えば、特許請求の範囲の記載）
【０００６】
【発明が解決しようとする課題】
このため、点消火ボタンを、点火操作時の押込み操作により、操作パネルから突出した閉弁位置から開弁位置を経て点火位置に移動するように構成し、この点消火ボタンの点火操作時の押込み操作に連動して、ガスバーナへの燃焼ガス供給量が所定量になるように火力調節ダイヤルを強制的に回転させる機構を設けることが考えられる。ところが、この強制的な回転を点消火ボタンが閉弁位置から開弁位置に移動するまでの間に行うと、閉弁位置と開弁位置との間で、火力調節ダイヤルを所定位置まで回転させるための点消火ボタンの移動距離を確保する必要があり、結果として、点火操作時の点消火ボタンの前後方向の移動距離が長くなり、使い勝手が悪いという問題が生じる。
【０００７】
そこで、本発明は、上記点に鑑み、点火操作時の点消火ボタンの押込み操作によって火力調節ダイヤルが強制的に回転されるようにしても、点消火ボタンの前後方向の移動距離が短く、使い勝手のよいガス制御装置を提供することを課題とする。
【０００８】
【課題を解決するための手段】
上記課題を解決するために、本発明のガス制御装置は、前後方向に移動自在な点消火ボタンを備え、この前後方向の位置に、ガスバーナに通じるガス通路を開放保持する開弁位置、ガス通路を閉鎖する閉弁位置及びガスバーナの点火手段を作動させる点火位置を設け、点消火ボタンの周囲に、ガスバーナへの燃料ガス供給量を調節して火力の調節を可能とする回転自在なリング状の火力調節ダイヤルを設けたガス制御装置において、前記点消火ボタンは、点火操作時の押込み操作により、突出した閉弁位置から開弁位置を経て点火位置に移動するように構成し、
【０００９】
前記点消火ボタンの点火操作時の押込み操作に連動して、ガスバーナへの燃焼ガス供給量が所定量になるように前記火力調節ダイヤルを強制的に回転させる強制回転手段を設け、この強制回転手段による火力調節ダイヤルの強制的な回転を、点消火ボタンが開弁位置から点火位置に到達するまでに行うようにしたことを特徴とする。
【００１０】
本発明によれば、点火操作を行うため閉弁位置から点消火ボタンを押込み操作すると、ガス通路が開放されてガスバーナに燃料ガスが流れる。そして、点消火ボタンが開弁位置に到達すると、強制回転手段によって火力調節ダイヤルの回転が開始され、点火位置に到達すると、ガスバーナの点火動作が行われる。この場合、点火位置に到達したときには、火力調節ダイヤルの所定位置への回転は既に完了している。ガスバーナの点火を確認して、点消火ボタンの押込みを解除すると、点消火ボタンが前方側に戻って開弁位置に到達する。この開弁位置で火力調節ダイヤルを回転させると、ガスバーナに供給される燃料ガスのガス流量が増減されてガスバーナの火力が調節できる。
【００１１】
ここで、ガス通路には、一般に電磁安全弁が設けられ、この電磁安全弁を開弁するには、点消火ボタンを押込み操作する場合の開弁位置と点火位置との間の点消火ボタンの移動距離を長く設定する必要がある。この場合、本発明では、点消火ボタンの移動距離が長い開弁位置と点火位置との間を、火力調節ダイヤルの強制的な回転に流用しているため、必要な移動距離が短い閉弁位置と開弁位置との間の点消火ボタンの移動距離に、火力調節ダイヤルの強制的な回転のための移動距離を付加したものより、点消火ボタンの前後方向の移動距離を短くできるため、操作感がよく、使い勝手がよい。また、点火位置から開弁位置に戻る動きを強制回転手段の係合解除に利用できるため、開弁位置で火力調節ダイヤルに干渉しないようにする機構を別途設ける必要がなく、部品点数を増やす必要もない。
【００１２】
ところで、前記強制回転手段を、点消火ボタンの押込み操作で火力調節ダイヤルの内部を前後方向に移動する押圧ロッドに設けた突起片と、この火力調節ダイヤルの内周面に設けたカム溝とから構成し、開弁位置から点火位置への点消火ボタンの移動に伴って突起片がカム溝と係合し、点消火ボタンの押込みを解除して点火位置から開弁位置に戻ると突起片がカム溝と係合しないようにすれば、部品点数を増やすこともなく開弁位置での火力調節ダイヤルの操作性は損なわれず、調理者の回転操作感に悪影響を与えることはない。
【００１３】
また、前記カム溝を形成した火力調節ダイヤルの内側に、開弁位置で火力調節ダイヤルを回転させたときに前記突起片が当接してこの火力調節ダイヤルの回転範囲を制限する凸部を設けておけば、火力調節ダイヤルの回転範囲を制限するためのストッパ等を別個に設ける必要はなく、部品点数が減少して低コストにできる。
【００１４】
尚、前記閉弁位置で、火力調節ダイヤルを前記回転範囲を越えて所定位置まで回転させた場合、前記凸部の前方側の面が前記突起片と対向するようにし、点消火ボタンの押込み操作を阻止するロック位置を設けてもよい。
【００１５】
【発明の実施の形態】
図１を参照して、１は、本発明のガス制御装置であり、このガス制御装置１は、ガス調理器具として例えばキッチンに設けた厨房家具に設置されるビルトイン式のガスコンロ２に組込まれる。ガスコンロ２は箱状のコンロ器体２１を有し、コンロ器体２１には、その上面を覆う天板２２に設けた３個の開口を臨むように３個のガスバーナ２３が設けられている。コンロ器体２１の前面の両端には、操作パネルである前面パネル２４が設けられている。また、コンロ器体２１には、両前面パネル２４の間に位置して、セラミックプレート式バーナ（図示せず）を設けたグリル２５が設けられている。そして、本発明のガス制御装置１によって３個のガスバーナ２３及びセラミックスプレート式バーナへの燃料ガスの供給が制御される。
【００１６】
図２を参照して、ガス制御装置１は、上下に重ねて連結した２個の部分１１ａ、１１ｂから構成されるバルブケーシングを有する。下側に位置するバルブケーシングの第１部分１１ａには、バルブケーシングの長手方向に沿って延びる第１内部通路１２ａが設けられ、第１内部通路１２ａに連通するガス流入部１３が開設されている。ガス流入部１３の下流側に位置して第１内部通路１２ａには電磁安全弁３が設けられている。電磁安全弁３はマグネットケース３１を有し、このマグネットケース３１には、例えばコンロ器体２１に設けた制御ユニット（図示せず）からの信号に基づいて励磁される電磁石とこれに吸着される吸着片とが収容されている。
【００１７】
吸着片にはマグネットケース３１から第１内部通路１２ａの下流側に向かって突出した第１弁体３２が連結されている。電磁安全弁３の閉弁状態では、第１弁体３２は、該第１弁体３２とマグネットケース３１との間に縮設したばね３３の付勢力によって、シール材３４ａを介して第１内部通路１２ａに設けた弁座部材３４の弁座に着座している。電磁安全弁３の開弁操作は、シール材４１を介して第１内部通路１２ａに挿設され、第１内部通路１２ａの長手方向に沿って前後方向に移動自在な操作ロッド４により行われる。操作ロッド４には第２弁体４２が設けられ、第２弁体４２は第１内部通路１２ａに設けた弁座４３と共に元弁を構成する。元弁の閉弁状態では、第２弁体４２は、第２弁体４２と弁座部材３４との間に縮設したばね４４により弁座４３に着座している。
【００１８】
操作ロッド４の前後方向の移動は、前面パネル２４に設けられる点消火ボタン５の押込み操作によって行われる。点消火ボタン５は円筒形状に形成され、その第１内部通路１２ａ側の端面には、点消火ボタン５の移動に伴って操作ロッド４を押圧する押圧ロッド５１が連結されている。押圧ロッド５１の下側には、案内部５１ａが連結され、この案内部５１ａの一端は、第１部分１１ａの下側に設けたハートカム機構５２に連結されている。
【００１９】
図２乃至図４に示すように、点消火ボタン５は、後述の火力調節ダイヤルと共に前面パネル２４から突出し、第１内部通路１２ａを閉鎖する閉弁位置（図２参照）から点火操作を行うために、コンロ器体２１内側に向かう方向である後方側（図２では右側）に点消火ボタン５を押込み操作すると、押圧ロッド５１を介して操作ロッド４が後方側に押込まれて元弁を開弁させた後、弁体３２を吸着片側に押しきると共に点火手段である放電ユニット（図示せず）が作動する点火位置まで移動する（図３参照）。点火位置から点消火ボタン５の押込みを解除すると、ハートカム機構５２で案内されて、コンロ器体２１外側に向かう方向である前方側（図３では左側）に移動して元弁を開弁保持して第１内部通路１２ａを開放した状態の開弁位置に到達する（図４参照）。消火操作を行うために開弁位置から点消火ボタン５をさらに押込み操作すると、ハートカム機構５２がリセットされて消火位置に戻される（図１及び図２に示す状態）。
【００２０】
元弁の上流側に位置して第１部分１１ａにはガス流出口１４が設けられ、該ガス流出口１４は、第２部分１１ｂに設けた略Ｌ字形の第２内部通路１２ｂの一端と一致し、第１及び第２の各内部通路１２ａ、１２ｂがガス通路を構成する。第２部分１１ｂの外周面には、所定の間隔を置いて４個の第１、第２、第３及び第４の各連通路１５ａ、１５ｂ、１５ｃ、１５ｄが相互に隔絶して設けられている。各連通路１５ａ、１５ｂ、１５ｃ、１５ｄを介して、第２部分１１ｂの上部に連結したガス流出部１６と第２内部通路１２ｂとが連通している。そして、ガス流出部１６から流出した燃料ガスは、各ガスバーナ２３及びセラミックプレート式バーナの各混合管に燃料ガスを噴射するガスノズル（図示せず）へと供給される。この場合、ガスノズルへの燃料ガスのガス供給量を調節するため、第２内部通路１２ｂには流量調節弁６が設けられている。
【００２１】
図２及び図５を参照して、流量調節弁６は、第２内部通路１２ｂに回転自在に挿設した円筒形状の回転体６１を有する。回転体６１の外周面には、４本の円周方向の第１、第２、第３及び第４の各長溝６２ａ、６２ｂ、６２ｃ、６２ｄが、第１、第２、第３及び第４の各連通路１５ａ、１５ｂ、１５ｃ、１５ｄにそれぞれ対応させて形成されている。この場合、各長溝６２ａ、６２ｂ、６２ｃ、６２ｄの幅寸法は、各連通路１５ａ、１５ｂ、１５ｃ、１５ｄの孔径にそれぞれ一致させかつ円周方向にずらして形成している。この場合、各連通路１５ａ、１５ｂ、１５ｃ、１５ｄを通過してガス流出部１６へと流れる燃料ガスのガス流量を所定量に調節する４個のオリフィス孔６３ａ、６３ｂ、６３ｃ、６３ｄを形成したオリフィス部材６３を、各連通路１５ａ、１５ｂ、１５ｃ、１５ｄに一致させて第２部分１１ｂの上面に装着している。そして、回転体６１を回転させて各長溝６２ａ、６２ｂ、６２ｃ、６２ｄを各連通路１５ａ、１５ｂ、１５ｃ、１５ｄと適宜一致させてガス流出部１６へと流れる燃料ガスのガス流量が調節される。回転体６１の回転角の調節は、点消火ボタン５の周囲に設けたリング状の火力調節ダイヤル７により行われる。
【００２２】
ところで、点消火ボタン５と火力調節ダイヤル７とはコンロ器体２１の前面パネル２４に設けられるが、開弁位置で点消火ボタン５が火力調節ダイヤル７から突出したのでは、例えば調理時に生じた煮こぼれやグリル２５からの油煙等で汚れやごみが付着し易くなる。また、調理時に煮こぼれが生じた場合、その煮汁が点消火ボタン５にかかり、この点消火ボタン５を伝ってガスコンロ２内に侵入して電装基板やスイッチなどの悪影響を及ぼす可能性がある。
【００２３】
図２及び図６を参照して、本実施の形態では、点消火ボタン５の外周面が火力調節ダイヤル７及び前面パネル２４内に隠れるように、点消火ボタン５と火力調節ダイヤル７との前方側の端面を略面一とすると共に、前記点消火ボタン５の外周面と火力調節ダイヤル７の内周面との間にその全周にわたって空間Ｓを設けた。そして、閉弁位置では、点消火ボタン５と火力調節ダイヤル７とが一体となって前面パネル２４から前方側に突出し、押込み操作で開弁位置に点消火ボタン５を移動させると、それに伴って火力調節ダイヤル７が後方側に移動するようにした。この場合、火力調節ダイヤル７は、調理者が火力調節ダイヤル７を操作してガスバーナ２３の火力を調節できる長さだけ、前面パネル２４から突出している。
【００２４】
これにより、点消火ボタン５及び火力調節ダイヤル７は、閉弁位置より後方側に押込まれていると共に、点消火ボタン５の外周面が常時火力調節ダイヤル７で隠れているため、調理時に煮こぼれが生じても火力調節ダイヤル７に煮汁がかかり難くなり、火力調節ダイヤル７に煮汁がかかっても、その周囲を伝って煮汁が下方に落下するだけで、点消火ボタン５の外周面に煮汁が侵入しない。このため、点消火ボタン５を伝って煮汁がガスコンロ２内に侵入することが防止される。また、空間Ｓを設けたので、点消火ボタン５と火力調節ダイヤル７との間にごみが固着することで、点消火ボタン５の押込み操作による火力調節ダイヤル７の円滑な強制回転移動が阻害されることが防止される。
【００２５】
火力調節ダイヤル７は、点消火ボタン５の前後方向の移動と共に移動する回転自在なつまみ部材７１と、回転体６１を回転させるダイヤル部材７２を備えている。ダイヤル部材７２の第１内部通路１１ａ側の端部は所定ピッチで歯切りされ、歯切した部分７２ａが第２部分１１ｂから突出した回転体６１の一端部に嵌合した歯車Ｇと噛合っている。これにより、ダイヤル部材７２の回転操作に同期して回転体６１が回転される。また、ダイヤル部材７２の他端部には、半径方向外側に延出させた凹部７２ｂが相互に対向して２箇所設けられている。
【００２６】
点消火ボタン５の外周面を隠すつまみ部材７１は透明な樹脂性であり、その第１内部通路１１ａ側の端部には、第１内部通路１１ａ側に延びる突出片７１ａが相互に対向して２箇所設けられている。そして、各突出片７１ａが各凹部７２ｂ内を摺動自在に係合させてつまみ部材７１とダイヤル部材７２とが組付けられる。また、つまみ部材７１の内側には、このつまみ部材７１の内形にほぼ一致した反射部材７３が装着されている。反射部材７３の外表面には、アルミニウムをコーティングすることで反射層が形成されている。反射部材７３にはまた、点消火ボタン５の外周面に形成した段部５ａと、つまみ部材７１の内周面に形成した段部７１ｂとに同時に当接するつば部７３ａが形成され、このつば部７３ａとダイヤル部７２との間に縮設したばね７４によって反射部材７３が前方側に付勢されている。
【００２７】
これにより、つまみ部材７１がばね７４の付勢力で点消火ボタン５に押当てられ、点消火ボタン５を押込み操作すると、それに伴ってつまみ部材７１が後方側に移動し、開弁位置では、つまみ部材７１を回転させると、突出片７１ａと係合した凹部７２ｂを介してダイヤル部材７２が回転される。他方で、前記点消火ボタン５の閉弁位置では、火力調節ダイヤル７が点消火ボタン５の外周面を露出する方向に単独で移動可能となる。この場合、閉弁位置でつまみ部材７１を移動させれば、点消火ボタン５の外周面が露出し、そこに付着したごみを清掃できる。また、火力調節ダイヤル７を把持して押込み操作しても点消火ボタン５が移動しないため、後述の強制回転手段が破損されることはない。さらに、反射部材７３を設けたことで、点消火ボタン５の外周面にごみや汚れが付着してもこの反射部材７３で隠されてよい。
【００２８】
図７を参照して、前面パネル２４の内側には、透明なつまみ部材７１の上方から反射部材７３に向かって光を照射するＬＥＤ等の光源Ｅが設けられ、点消火ボタン５の開弁位置で、光源から光を照射してつまみ部材７１が光るようにしている。これにより、ガスコンロ２の作動状況を視覚で確認できる。この場合、前記火力調節ダイヤル７の前方側の縁部を面取り部Ｃとし、ダイヤル部材７１に光源Ｅから光を照射したとき、この面取り部Ｃでリング状に光るようにしている。また、反射部材７３の表面には、長手方向に延びる凸部７３ｂが形成され（図６参照）、この凸部７３ｂが、つまみ部７１に設けた長手方向の収納部７１ｃに収納され、前面パネル２４に表示されたガスバーナの火力位置と凸部７３ｂとの一致により、ガスバーナ２３の火力を指標する指標部を構成する。また、この指標部は光源Ｅからの光が照射されても光ることがないため、光っている周囲に対して浮き出る効果があり、調理者は火力位置と指標部との一致を認識し易い。
【００２９】
図８乃至図１２を参照して、ダイヤル部材７２の後方側の内周面にはカム溝７２ｃが形成され、このダイヤル部材７２内を前後方向に移動する押圧ロッド５１の外周面には、カム溝７２ｃと対偶をなす２個の突起片５１ｂが設けられ（図６参照）、カム溝７２ｃと突起片５１ｂが強制回転手段を構成する。この場合、カム溝７２ｃの壁面の高さは、点消火ボタン５の押込み操作につれて一方から他方に向かって低くなるように形成されている。そして、ガスバーナ２３の点火のため、閉弁位置から点消火ボタン５を押込み操作して開弁位置に到達すると、突起片５１ｂがカム溝７２ｃと係合し、この突起片５１ｂが原動節となって従動節であるカム溝７２ｃが形成されたダイヤル部材７２を回転させ、点消火ボタン５が点火位置に到達したときに、着火を確実にする流量の燃料ガスがガスバーナ２３に供給される位置まで回転される。本実施の形態では、強制回転手段５１ｂ、カム溝７２ｃにより、火力調節ダイヤル７は、点消火ボタン５の押込み操作で中火位置まで強制的に回転される。
【００３０】
この場合、点消火ボタン５の押込み操作を利用して火力調節ダイヤル７を回転させるので、例えば押圧ロッド５１と第１部分１１ａとの間に縮設したばね１７の付勢力を大きくする必要がなく、ガス制御装置１の構造を簡素化できる。また、電磁安全弁３を開弁するために点消火ボタン５の移動距離が長く設定される開弁位置と点火位置との間を、火力調節ダイヤル７の強制的な回転に流用しているため、必要な移動距離が短い閉弁位置と開弁位置との間の点消火ボタン５の移動距離に、火力調節ダイヤル７の強制的な回転のための距離を付加したものより、点消火ボタン５の前後方向の移動距離を短くできるため、操作感がよく、使い勝手がよい。
【００３１】
点火位置では、放電ユニットを作動させてガスバーナ２３が点火される。その後、点消火ボタン５の押込みを解除すると、ハートカム機構５２に案内されてばね１７の付勢力によって少し戻り、点消火ボタン５は開弁位置に到達する。開弁位置では、突起片５１ｂとカム溝７２ｃとの係合が解除され、ダイヤル部材７２が、時計方向または反時計方向に回転自在となる。この場合、火力調節ダイヤル７を、時計方向に回転させるとガス流量が絞られ、反時計方向に回転させるとガス流量が増加するように回転体６１が回転される。これにより、開弁位置での火力調節ダイヤル７の操作性は損なわず、調理者の回転操作感に悪影響を与えることはない。また、点消火ボタン５の押込みを解除したときの点消火ボタン５の戻りで突起片５１ｂとカム溝７２ｃとの係合が解除されるため、開弁位置で強制回転手段５１ｂが火力調節ダイヤル７のカム溝７２ｃに干渉しないようにする機構を別途設ける必要もないため、部品点数を増やす必要もない。
【００３２】
火力調節ダイヤル７の回転範囲を制限するため、ダイヤル部材７２のカム溝７２ｃを形成した箇所に、相互に対向する２個の凸部７２ｄが形成されている。火力調節ダイヤル７を回転させ、この凸部７２ｄに各突起片５１ｂが当接するまで反時計方向に回転させると、第２、第３及び第４の各長溝６２ｂ、６２ｃ、６２ｄが第２、第３及び第４の各連通路１５ｂ、１５ｃ、１５ｄにそれぞれ一致してガス流出部１６へのガス量が最大となるように回転体６１を配置している。他方で、この凸部７２ｄに各突起片５１ｂが当接するまで時計方向に回転させると、第１長溝６２ａが第１連通路１５ａとのみ一致し、ガス流出部１６へのガス量が最小となるようにしている。これにより、開弁位置では、火力調節ダイヤル７が、ガス流出部１６へのガス流量を最小にしてガスバーナ２３の火力を小とする小火力と、ガス流量を最大にしてガスバーナ２３の火力を強とする強火力との間の火力調節範囲内でのみ回転自在となる。これにより、火力調節ダイヤル７の回転範囲を制限するためのストッパ等を別個に設ける必要はなく、部品点数が減少して低コストにできる。
【００３３】
図１３に示すように、点消火ボタン５の閉弁位置では、突起片５１ｂが、ダイヤル部材７２のカム溝７２ｃを形成した箇所より前方側に位置している。この場合、閉弁位置で火力調節ダイヤル７を火力調節範囲を超えて反時計方向に回転できるようにし、この位置では、突起片５１ｂが凸部７２ｄと対向する。これにより、点消火ボタン５を押込み操作しても、突起片５１ｂが凸部７２ｂの前面パネル２４手前側の面に当接して閉弁位置から点火位置に点消火ボタン５が移動できないロック位置が形成され、チャイルドロックされる。この場合、ダイヤル部材７２の外周面に突出部Ｅを設け（図８参照）、この突出部Ｅが第１部分１１ａに設けたストッパ（図示せず）に当接すると、ロック位置に到達する。
【００３４】
図６及び図１４を参照して、ダイヤル部材７２の前方側の内周面には、同一円周方向上で所定の間隔を置いて第１、第２及び第３の各凹部７２ｅ、７２ｆ、７２ｇが形成されている。点消火ボタン５の後方側の端部には、半径方向の孔５ｂが形成され、この孔５ｂには、円筒形状のクリック部材Ｃがダイヤル部材７２の内周面に向かってばねＣ１で付勢させた状態で収納されている。そして、開弁位置で、火力調節ダイヤル７を回転させて所定の位置に到達すると、凹部７２ｅ、７２ｆ、７２ｇにクリック部材５２が嵌合してクリックを発生する。
【００３５】
次に、本発明のガス制御装置１の作動を説明する。図２に示す閉弁位置から点消火ボタン５の押込み操作すると、押圧ロッド５１を介して操作ロッド４を後方側に押圧して元弁を開弁させ、図３に示す開弁位置に到達すると突起片５１ｂとカム溝７２ｃとが係合し、弁体３２を吸着片側に押しきる点火位置に到達する前に、火力調節ダイヤル７が中火位置まで回転される。この場合、回転体６１は歯車Ｇを介して回転され、この位置では、第１、第２及び第３の各長溝６２ａ、６２ｂ、６２ｃが第１、第２及び第３の各連通路１５ａ、１５ｂ、１５ｃにそれぞれ一致し、ガスバーナ２３の火力を中とするガス流量の燃料ガスがガス流出部１６へ流れる（図５参照）。また、クリック部材Ｃは第２の凹部７２ｆに嵌合している（図１４参照）。
【００３６】
点火位置に到達すると、放電ユニットによってガスバーナ２３の点火操作が行われる。そして、ガスバーナ２３の近傍に設けた火炎検出素子（図示せず）がガスバーナ２３の火炎を検出すると、制御ユニットからの信号で電磁弁３が励磁されて開弁保持される。ガスバーナ２３が着火したことを確認して点消火ボタン５の押込みを解除すると、点消火ボタン５は、ハートカム機構５２に案内されて図３に示す開弁位置に到達する。
【００３７】
ガスバーナ２３の火力を強めるため、中火位置から反時計方向に回転させ、クリック部材Ｃは第３の凹部７２ｇに嵌合すると、凸部７２ｄに各突起片５１ｂが当接する。この場合、第２、第３及び第４の各長溝６２ｂ、６２ｃ、６２ｄが第２、第３及び第４の各連通路１５ｂ、１５ｃ、１５ｄにそれぞれ一致し、ガスバーナ２３の火力を強とするガス流量の燃料ガスがガス流出部１６へ流れる（図１５参照）。
【００３８】
他方で、中火からガスバーナ２３の火力を絞るため、火力調節ダイヤル７を時計方向に回転させ、クリック部材Ｃは第１の凹部７２ｅに嵌合すると、第１及び第２の各長溝６２ａ、６２ｂが第１及び第２の各連通路１５ａ、１５ｂにそれぞれ一致し、ガスバーナ２３の火力を弱とするガス流量の燃料ガスがガス流出部１６へ流れる（図１６参照）。次いで、凸部７２ｄに各突起片５１ｂが当接するまで火力調節ダイヤル７を時計方向に回転させると、第１長溝６２ａが第１連通路１５ａとのみ一致し、ガスバーナ２３の火力を小とする最小ガス流量の燃料ガスがガス流出部１６へ流れる（図１７参照）。
【００３９】
ガスバーナ２３を消火する場合、開弁位置から後方側に点消火ボタン５を押込み操作すると、ハートカム機構５２がリセットされ、点消火ボタン５は、ばね１７の付勢力を受けて図２に示す閉弁位置まで後退する。この場合、押圧ロッド５１の押圧が解除された操作ロッド４は、ばね３４の付勢力を受けて前方側に移動し、元弁を閉弁する。元弁が閉弁されるとガスバーナ２３への燃料ガスの供給が停止されて消火される。火炎検出素子によって火炎が消えたことを制御ユニットが認識すると電磁安全弁３が閉弁される。
【００４０】
尚、本実施の形態では、反射部材７３に反射層を形成したが、これに限定されるものではなく、例えばダイヤル部材７２の内側に反射層を形成してもよい。また、本実施の形態では、中火位置で点火する場合について説明したが、これに限定されるものではなく、例えば強火位置で点火操作ができるようにカム溝を形成してもよい。さらに、本実施の形態では、ガスコンロ２の前面パネル２４に点消火ボタン５及び力調節ダイヤル７を設けた場合について説明したが、オーブン、グリル等の他のガス調理器具に点消火ボタン及び火力調節ダイヤルを有する本発明のガス制御装置を使用してもよく、例えば、コンロ器体を覆う天板に操作パネルを設けたガスコンロに、点消火ボタン及び火力調節ダイヤルを有する本発明のガス制御装置を適用してもよい。
【００４１】
【発明の効果】
以上説明したように本発明のガス制御装置は、点火操作時の点消火ボタンの押込み操作によって火力調節ダイヤルが強制的に回転されるようにしても、点消火ボタンの前後方向の移動距離が短く、使い勝手がよいという効果を奏する。
【図面の簡単な説明】
【図１】本発明のガス制御装置を組込んだガスコンロの斜視図
【図２】閉弁位置にある本発明のガス制御装置の断面図
【図３】点火位置にある本発明のガス制御装置の断面図
【図４】開弁位置にある本発明のガス制御装置の断面図
【図５】回転体を説明する斜視図
【図６】点消火ボタンと火力調節ダイヤルとの構成を説明する分解斜視図
【図７】火力調節ダイヤルに対する光源の位置を説明する図
【図８】消火位置における強制回転手段を説明する図
【図９】消火位置における強制回転手段を説明する図
【図１０】点火位置における強制回転手段を説明する図
【図１１】点火位置における強制回転手段を説明する図
【図１２】強制回転手段による火力調節ダイヤルの強制的な回転を説明する図
【図１３】（ａ）及び（ｂ）は、点消火ボタンのロック位置を説明する図
【図１４】流量調節ダイヤルを回転させて中火位置に到達した場合のクリックの発生を説明する図
【図１５】（ａ）及び（ｂ）は、流量調節ダイヤルを回転させて強火位置に到達した場合を説明する図
【図１６】（ａ）及び（ｂ）は、流量調節ダイヤルを回転させて弱火位置に到達した場合を説明する図
【図１７】（ａ）及び（ｂ）は、流量調節ダイヤルを回転させて小火力位置に到達した場合を説明する図
【符号の説明】
１  ガス制御装置
５  点消火ボタン
７  火力調節ダイヤル
５１、７２ｃ  強制回転手段
【図１】
2004308977.tif 000003
【図２】
2004308977.tif 000004
【図３】
2004308977.tif 000005
【図４】
2004308977.tif 000006
【図５】
2004308977.tif 000007
【図６】
2004308977.tif 000008
【図７】
2004308977.tif 000009
【図８】
2004308977.tif 000010
【図９】
2004308977.tif 000011
【図１０】
2004308977.tif 000012
【図１１】
2004308977.tif 000013
【図１２】
2004308977.tif 000014
【図１３】
2004308977.tif 000015
【図１４】
2004308977.tif 000016
【図１５】
2004308977.tif 000017
【図１６】
2004308977.tif 000018
【図１７】
2004308977.tif 000019